(57)【要約】 【課題】簡易かつ正確に弁体や可動部の摩耗の度合いを調べることができる。【解決手段】弁体状態監視装置は、弁ハウジング内を移動する弁体を目標位置に留めるように帰還制御を行って作動流体の吐出量を制御する流量制御弁から、前記弁体の位置情報を取得する取得部と、前記弁体が前記目標位置からずれた場合に当該目標位置に復帰させるために前記弁体を移動させた単位時間当たりの回数と前記弁体が所定時間内に前記目標位置から乖離した距離との少なくとも一方に基づいて前記弁体の状態を推定する状態推定部とを備える。【選択図】図１
2020106418.tif 000002
【特許請求の範囲】
【請求項１】
弁ハウジング内を移動する弁体を目標位置に留めるように帰還制御を行って作動流体の吐出量を制御する流量制御弁から、前記弁体の位置情報を取得する取得部と、
前記弁体が前記目標位置からずれた場合に当該目標位置に復帰させるために前記弁体を移動させた単位時間当たりの回数と前記弁体が所定時間内に前記目標位置から乖離した距離との少なくとも一方に基づいて前記弁体の状態を推定する状態推定部と
を備える弁体状態監視装置。
【請求項２】
前記状態推定部で所定期間にわたって推定した前記弁体の状態に基づいて前記弁体の寿命を予測する寿命予測部を備える
請求項１に記載の弁体状態監視装置。
【請求項３】
弁ハウジング内を移動する弁体を有し、作動流体の吐出量を制御する流量制御弁と、
前記弁ハウジング内における前記弁体の位置を検出する位置検出部と、
前記位置検出部で検出された前記弁体の位置を目標位置と一致するように帰還制御を行う帰還制御部と、
前記弁体の位置が前記目標位置からずれた場合に当該目標位置に復帰させるために前記弁体を移動させた単位時間当たりの回数と前記弁体の位置が所定時間内に前記目標位置から乖離した距離との少なくとも一方に基づいて前記弁体の状態を推定する状態推定部と
を備える流体圧駆動装置。
【請求項４】
前記弁体を移動させた単位時間当たりの回数が第１閾値を超えた場合と前記弁体の位置が所定時間内に前記目標位置から乖離した距離が第２閾値を超えた場合との少なくとも一方において所定の警告処理を行う警告部を備える
請求項３記載の流体圧駆動装置。
【請求項５】
前記状態推定部で所定期間にわたって推定した前記弁体の状態に基づいて前記弁体の寿命を予測する寿命予測部を備える
請求項３又は４に記載の流体圧駆動装置。
【請求項６】
前記状態推定部は、前記弁体を所定位置で停止させているときに前記弁体の状態を推定する
請求項５記載の流体圧駆動装置。
【請求項７】
前記状態推定部は、前記弁体を移動させているときに前記弁体の状態を推定する請求項６に記載の流体圧駆動装置。
【請求項８】
前記流量制御弁からの作業流体の吐出量に応じて、前記流量制御弁の前記弁体とは別の弁体を移動させる別の流量制御弁を備え、
前記状態推定部は、前記弁体の位置が前記目標位置からずれた場合に当該目標位置に復帰させるために前記弁体を移動させた単位時間当たりの回数と前記弁体の位置が所定時間内に前記目標位置から乖離した距離との少なくとも一方と、前記別の流量制御弁の前記別の弁体の位置と、に基づいて、前記弁体の状態を推定する、請求項３乃至７のいずれか一項に記載の流体圧駆動装置。
【発明の詳細な説明】
【技術分野】
【０００１】
本発明は、弁体状態監視装置及び流体圧駆動装置に関する。
【背景技術】
【０００２】
作動油の吐出量を制御する流量制御弁の故障の一つに、流量制御弁のスプール（弁体とも呼ばれる）の摩耗による作動油漏れがある。本来、スプールは、中立位置のときは、確実に作動油をシールし、スプールが中立位置から移動すると、作動油を吐出しなければならない。
【０００３】
ところが、流量制御弁内の作動油中に異物が混入している場合は、異物によってスプールの表面が削れてしまい、スプールが中立位置に移動しても、スプールの摩耗によって生じた隙間から作動油が漏れ出すおそれがある。
【０００４】
スプールが中立位置に移動しても、作動油が漏れ出す場合、流量制御弁によって駆動される駆動部や、駆動部によって制御されるアクチュエータを誤動作させる要因になる。また、作動油の漏出量が過大になると、作動油の供給が不足し、十分な作動油圧が得られなくなって、駆動部やアクチュエータの効率が低下してしまう。
【０００５】
流量制御弁を分解せずに、スプールの摩耗の度合いを調べることができれば、保守費用の削減が図れるため、望ましい。また、流量制御弁から吐出される作動油にて駆動部を駆動している場合、駆動部の動作を止めずに流量制御弁のスプールの摩耗の度合いを調べることができれば、なお望ましい。
【先行技術文献】
【特許文献】
【０００６】
【特許文献１】特開２０１６−５０７８５号公報
【発明の概要】
【発明が解決しようとする課題】
【０００７】
本発明が解決しようとする課題は、簡易かつ正確に弁体や可動部の摩耗の度合いを調べることができる弁体状態監視装置及び流体圧駆動装置を提供するものである。
【課題を解決するための手段】
【０００８】
上記の課題を解決するために、本発明の一態様では、弁ハウジング内を移動する弁体を目標位置に留めるように帰還制御を行って作動流体の吐出量を制御する流量制御弁から、前記弁体の位置情報を取得する取得部と、
前記弁体が前記目標位置からずれた場合に当該目標位置に復帰させるために前記弁体を移動させた単位時間当たりの回数と前記弁体が所定時間内に前記目標位置から乖離した距離との少なくとも一方に基づいて前記弁体の状態を推定する状態推定部と
を備える。
【０００９】
前記状態推定部で所定期間にわたって推定した前記弁体の状態に基づいて前記弁体の寿命を予測する寿命予測部を備えてもよい。
【００１０】
本発明の他の一態様では、弁ハウジング内を移動する弁体を有し、前記作動流体の吐出量を制御する流量制御弁と、
前記弁ハウジング内における前記弁体の位置を検出する位置検出部と、
前記位置検出部で検出された前記弁体の位置を目標位置と一致するように帰還制御を行う帰還制御部と、
前記弁体の位置が前記目標位置からずれた場合に当該目標位置に復帰させるために前記弁体を移動させた単位時間当たりの回数と前記弁体の位置が所定時間内に前記目標位置から乖離した距離との少なくとも一方に基づいて前記弁体の状態を推定する状態推定部と
を備える流体圧駆動装置が提供される。
【００１１】
前記弁体を移動させた単位時間当たりの回数が第１閾値を超えた場合と前記弁体の位置が所定時間内に前記目標位置から乖離した距離が第２閾値を超えた場合との少なくとも一方において所定の警告処理を行う警告部を備えてもよい。
【００１２】
前記状態推定部で所定期間にわたって推定した前記弁体の状態に基づいて前記弁体の寿命を予測する寿命予測部を備えてもよい。
【００１３】
前記状態推定部は、前記弁体を所定位置で停止させているときに前記弁体の状態を推定してもよい。
【００１４】
前記状態推定部は、前記弁体を移動させているときに前記弁体の状態を推定してもよい。
【００１５】
前記流量制御弁からの作業流体の吐出量に応じて、前記流量制御弁の前記弁体とは別の弁体を移動させる別の流量制御弁を備え、
前記状態推定部は、前記弁体の位置が前記目標位置からずれた場合に当該目標位置に復帰させるために前記弁体を移動させた単位時間当たりの回数と前記弁体の位置が所定時間内に前記目標位置から乖離した距離との少なくとも一方と、前記別の流量制御弁の前記別の弁体の位置と、に基づいて、前記弁体の状態を推定してもよい。
【発明の効果】
【００１６】
本発明によれば、簡易かつ正確に弁体や可動部の摩耗の度合いを調べることができる。
【図面の簡単な説明】
【００１７】
【図１】第１の実施形態による弁体状態監視装置と流量制御弁の概略構成を示す図。
【図２】（ａ）はスプールが中立位置のときに作動油が漏れ出す経路を矢印で示す図、（ｂ）は目標位置の変更によりスプールを左側に移動させた例、（ｃ）は目標位置の変更によりスプールを右側に移動させた例を示す図。
【図３】第２の実施形態による弁体状態監視装置と流量制御弁の概略構成を示す図。
【図４】アクチュエータを備えた流体圧駆動装置の概略構成を示す図。
【図５】図４の一変形例による流体圧駆動装置の概略構成を示す図。
【発明を実施するための形態】
【００１８】
以下、図面を参照して本開示の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。以下、本発明の実施の形態について、詳細に説明する。
【００１９】
（第１の実施形態）
図１は第１の実施形態による弁体状態監視装置１を備えた流体圧駆動装置１０の概略構成を示す図である。流体圧駆動装置１０は、流量制御弁２を備えている。流量制御弁２は、１つ以上のスプール（弁体）２ａを有する弁棒２ｂと、弁体状態監視装置１とを備えている。弁棒２ｂは、例えば不図示の電磁コイルに流れる電流により、図示の左右に移動制御される。なお、弁棒２ｂは、必ずしも電磁コイル等の電気制御で移動させる必要はなく、他の制御手法（例えば、油圧制御）により移動させてもよい。このように、スプール２ａは、流量制御弁２の弁ハウジング内を移動する。流量制御弁２は、弁ハウジング内を移動するスプール（弁体）２ａを目標位置に留めるように帰還制御を行って、作動流体の吐出量を制御する。
【００２０】
図１の流量制御弁２には、作動油が流入出する複数のポートが設けられており、スプール２ａの位置に応じて、各ポートからの作動油の流入出が制御される。例えば、流量制御弁２は、アクチュエータからの作動油が流れ込むポートＰ１と、流量制御弁２からアクチュエータに作動油を供給するポートＰ２と、流量制御弁２からタンクに作動油を排出するポートＰ３とを有する。なお、流量制御弁２に設けられるポートの種類と数は任意である。
【００２１】
図１の流体圧駆動装置１０は、位置検出部３と、帰還制御部４と、弁体状態監視装置１とを備えている。このうち、帰還制御部４と弁体状態監視装置１は、コントローラの一部を構成している。
【００２２】
位置検出部３は、弁ハウジング内を移動する弁体を有する。より具体的には、位置検出部３は、弁棒２ｂの一端部側に配置されており、弁棒２ｂの一端部の位置を検出することにより、スプール２ａの位置を検出する。位置検出部３は、ギャップセンサなどを用いて構成可能である。位置検出部３が検出したスプール２ａの位置情報は、帰還制御部４に伝送される。
【００２３】
帰還制御部４は、スプール２ａの位置が目標位置に一致するように帰還制御を行う。スプール２ａの目標位置は、流量制御弁２の動作によって変わりうる。図１は、スプール２ａの目標位置を中立位置にした例を示している。中立位置では、流量制御弁２からの作動油がシールされる。すなわち、中立位置では、本来的には、外部から流量制御弁２に作動油が供給されず、かつ、流量制御弁２から外部にも作動油は供給されない。
【００２４】
帰還制御部４は、位置検出部３で検出されたスプール２ａの現在位置が目標位置に一致するように、弁棒２ｂの移動を制御する。例えば、電磁コイルを用いて弁棒２ｂを移動させている場合は、帰還制御部４は電磁コイルに流す電流の大きさ及び向きを制御する。
【００２５】
帰還制御部４は、流量制御弁２から吐出される作動油の量に応じて目標位置を調整することができる。例えば、スプール２ａが摩耗していて、スプール２ａが中立位置にいても作動油が漏れ出す場合、作動油の漏れを抑制するために、目標位置が変更されることがありうる。この場合、帰還制御部４は、目標位置の変更に伴って、スプール２ａを細かく移動させることになる。
【００２６】
図２（ａ）はスプール２ａが中立位置のときにスプール２ａの摩耗により作動油が漏れ出す経路を矢印で示した図である。図２（ｂ）は目標位置の変更によりスプール２ａを左側に移動させた例、図２（ｃ）は目標位置の変更によりスプール２ａを右側に移動させた例を示している。このように、スプール２ａの中立位置で作動油が漏れ出す場合は、帰還制御部４は、目標位置を変更して、それに応じてスプール２ａを左又は右に移動させることで、作動油の漏れを抑制する制御を行う。
【００２７】
弁体状態監視装置１は、取得部１６と状態推定部５とを備えている。取得部１６は、流量制御弁２から、スプール２ａの位置情報を取得する。
【００２８】
状態推定部５は、スプール２ａが目標位置からずれた場合に当該目標位置に復帰させるためにスプール２ａを移動させた単位時間当たりの回数とスプール２ａが所定時間内に目標位置から乖離した距離との少なくとも一方に基づいて、スプール２ａの状態を推定する。
【００２９】
スプール２ａの単位時間当たりの回数が多い場合は、スプール２ａの位置が目標位置になかなか一致しないことを示している。上述したように、スプール２ａが摩耗している場合は、スプール２ａが中立位置にいても、作動油が漏れ出すため、作動油の漏れを抑制するべく目標位置が変更されて、それに応じて、スプール２ａの位置も移動するため、単位時間当たりの回数が多くなる。よって、スプール２ａの単位時間当たりの回数が所定の閾値（第１閾値）を超えた場合には、状態推定部５は、スプール２ａの摩耗が生じた状態であると推定する。
【００３０】
また、スプール２ａが目標位置を基準として移動する距離が大きい場合は、スプール２ａが目標位置と大きくかけ離れていることを示している。上述したように、スプール２ａが摩耗している場合は、スプール２ａが中立位置にいても、作動油が漏れ出すが、漏れ出す作動油の量が多いほど、目標位置が大きく変更される。よって、スプール２ａが目標位置を基準として移動する距離が所定の閾値（第２閾値）を超えた場合には、状態推定部５は、スプール２ａの摩耗が生じた状態であると推定する。
【００３１】
状態推定部５は、現時点でのスプール２ａの状態を推定するものである。帰還制御部４は、流量制御弁２が動作を行っている間、継続してスプール２ａの位置が目標位置に一致するように帰還制御を行うため、それに応じて、状態推定部５も、継続してスプール２ａの状態を推定する。状態推定部５が推定する状態は、スプール２ａが摩耗しているか否かを示す状態であってもよいし、摩耗している度合いを表す状態であってもよい。
【００３２】
状態推定部５が各時点において推定した状態は、例えば図１に破線で示す記憶部６に記憶してもよい。記憶部６は、状態推定部５が推定した時刻情報と、推定した状態とを組にして記憶する。これにより、帰還制御部４が帰還制御を行っている期間内の複数の時点における状態を逐次、記憶部６に記憶することができる。記憶部６が記憶した情報は、必要に応じて、外部に出力できるようにするのが望ましい。
【００３３】
また、図１の弁体状態監視装置１は、破線で示す警告部７を備えていてもよい。警告部７は、状態推定部５が、スプール２ａの単位時間当たりの回数が第１閾値を超えたと判断した場合と、スプール２ａの目標位置から乖離した距離が第２閾値を超えたと判断した場合との少なくとも一方において、所定の警告処理を行う。警告処理の具体的な内容は任意であるが、例えば、流量制御弁２の管理を行う不図示の管理サーバ等に、無線又は有線のネットワークを介して、警告信号を送信して、管理サーバ等の表示装置に警告内容を表示してもよい。あるいは、流量制御弁２に接続された表示装置やスピーカにて、警告内容を表示又は音声出力してもよい。警告内容の一例は、スプール２ａの点検を促すものであってもよい。
【００３４】
このように、第１の実施形態では、流量制御弁２のスプール２ａの位置が目標位置に一致するように帰還制御を行っている最中に、スプール２ａが目標位置に向けて移動する単位時間当たりの回数と、スプール２ａが目標位置から乖離した距離と、の少なくとも一方に基づいて、スプール２ａの状態を推定するため、スプール２ａが中立位置にいるときにスプール２ａの摩耗により作動油が漏れ出しているか否かを簡易かつ正確に判断できる。
【００３５】
（第２の実施形態）
第２の実施形態は、状態推定部５で推定した状態に基づいて、流量制御弁２のスプール２ａの寿命を予測するものである。
【００３６】
図３は第２の実施形態による弁体状態監視装置１と流量制御弁２を備えた流体圧駆動装置１０の概略構成を示す図である。図３の弁体状態監視装置１は、図１の構成に加えて、寿命予測部８を備えている。なお、取得部１６は、帰還制御部４又は状態推定部５と一体化してもよい。
【００３７】
寿命予測部８は、状態推定部５で所定期間にわたって推定した流量制御弁２のスプール２ａの状態に基づいて、スプール２ａの寿命を予測する。一般には、スプール２ａは使用している間に徐々に摩耗していくため、スプール２ａが中立位置のときに漏れ出す作動油の量も徐々に増えることが予想される。ただし、作動油中に含まれる異物がスプール２ａに噛み込んだりすると、急激に作動油の漏出量が増えることがありうる。作動油の漏出量が増えるほど、スプール２ａの単位時間当たりの回数と、目標位置から乖離した距離がともに大きくなる。
【００３８】
スプール２ａの単位時間当たりの回数と距離が、それぞれどのくらいの値になったら、スプール２ａの寿命と判断するかは、流量制御弁２の種類や用途等によって異なる。そこで、寿命予測部８は、スプール２ａの寿命と判断する閾値（第３閾値と第４閾値）を設けてもよい。例えば、寿命予測部８は、スプール２ａの単位時間当たりの回数が第３閾値（第３閾値は第１閾値以上）を超えた場合と、スプール２ａの振目標位置から乖離した距離が第４閾値（第４閾値は第２閾値以上）を超えた場合との少なくとも一方において、スプール２ａの寿命と判断してもよい。
【００３９】
スプール２ａの回数が第３閾値を超えた場合、又はスプール２ａの目標位置から乖離した距離が第４閾値を超えた場合に、所定の警告処理を行う警告部７を設けてもよい。
【００４０】
また、寿命予測部８は、作動油の漏出量が急激に増える兆候が見られた時点で、スプール２ａの寿命であると判断してもよい。より具体的には、時間の経過とともに、スプール２ａの単位時間当たりの回数と距離がほぼ線形的に増大する傾向であったのに、ある時点を境に、回数と距離の増大する傾きがより大きくなった場合は、その時点でスプール２ａの寿命と判断してもよい。
【００４１】
このように、寿命予測部８がスプール２ａの寿命と判断する基準は、種々考えられるが、いったん寿命と判断した場合には、何らかの手段でスプール２ａの交換時期であることを報知するのが望ましい。報知の仕方は、種々の手法が考えられ、上述した警告部７が行ってもよい。
【００４２】
また、寿命予測部８は、スプール２ａが寿命に到達する前に、寿命が近づいたことを報知してもよく、その際にいつ頃寿命になるかの情報も合わせて提供してもよい。
【００４３】
このように、第２の実施形態では、状態推定部５で推定した状態に基づいて、スプール２ａの寿命を予測する寿命予測部８を設けるため、流量制御弁２の使用中に、作動油が大量に漏れ出すような不具合を未然に防止できる。また、流量制御弁２を分解してスプール２ａ自体を検査しなくても、スプール２ａの交換時期を把握できるため、流量制御弁２の保守管理費用を削減できる。
【００４４】
（第３の実施形態）
第３の実施形態による流量制御弁２を、メインバルブやシリンダ等のアクチュエータの駆動に用いるものである。
【００４５】
図４は、図３の弁体状態監視装置１と流量制御弁２に加えて、アクチュエータ９を備えた流体圧駆動装置１０の概略構成を示す図である。図４のアクチュエータ９は、流量制御弁２から吐出された作動油に応じて、可動部（第２可動部）９ａを上下させる。図４のアクチュエータ９は、可動部９ａによる圧縮空気により、燃料噴射弁１１と排気弁１２を制御する例を示しているが、燃料噴射弁１１と排気弁１２は一例にすぎない。図４のアクチュエータ９の具体的な構造と駆動対象は任意である。
【００４６】
図４の流体圧駆動装置１０は、アクチュエータ９の駆動中に、状態推定部５と寿命予測部８にて流量制御弁２のスプール２ａの摩耗を監視することができる。より具体的には、アクチュエータ９の駆動中に、流量制御弁２のスプール２ａを中立位置に戻すタイミングで、スプール２ａの単位時間当たりの回数と距離を計測して、状態推定部５にてスプール２ａの状態を推定する。アクチュエータ９の駆動中には、定期的または不定期的に、流量制御弁２のスプール２ａは中立位置に復帰するため、そのたびに、状態推定部５にてスプール２ａの回数と距離を計測して、スプール２ａの状態を推定すれば、アクチュエータ９の駆動中に継続してスプール２ａの状態を推定できる。
【００４７】
よって、図４の流体圧駆動装置１０では、流量制御弁２のスプール２ａの状態を推定するために、流体圧駆動装置１０を停止させる必要はなく、アクチュエータ９を駆動しながら、流量制御弁２のスプール２ａの状態を推定できる。
【００４８】
このように、第３の実施形態では、流量制御弁２から吐出される作動油にてアクチュエータ９を駆動する流体圧駆動装置１０において、アクチュエータ９を駆動している最中に、流量制御弁２のスプール２ａが例えば中立位置に復帰するタイミングに合わせて、スプール２ａの単位時間当たりの回数と距離にて、スプール２ａが摩耗したか否かを判断できる。これにより、アクチュエータ９の駆動中にスプール２ａの摩耗の有無を確認できることから、アクチュエータ９を停止させることなく、スプール２ａの摩耗の有無を検査することができる。
【００４９】
（第４の実施形態）
アクチュエータ９を駆動しながら、流量制御弁２のスプール２ａの状態を推定した結果、スプール２ａの摩耗が疑われる場合には、いったんアクチュエータ９の駆動を停止させて、その状態でアクチュエータ９の可動部９ａの変位速度に基づいて、流量制御弁２のスプール２ａの状態を改めて推定してもよい。アクチュエータ９の駆動を停止させるには、流量制御弁２のスプール２ａを中立位置に移動させなければならない。図５に示すように、アクチュエータ９の可動部９ａが鉛直方向に配置されている場合、流量制御弁２のスプール２ａを中立位置に移動させた場合、可動部９ａは自重により下がるはずである。ところが、流量制御弁２のスプール２ａが摩耗している場合、スプール２ａが中立位置にあっても、流量制御弁２からアクチュエータ９に向かって作動油が流れるため、可動部９ａの変位速度が変化する。そこで、可動部９ａの変位速度の変化を検出して、流量制御弁２のスプール２ａが摩耗しているか否かを再度判断してもよい。
【００５０】
図５は図４の一変形例による流体圧駆動装置１０の概略構成を示す図である。図５の流体圧駆動装置１０は、可動部９ａの一端部に配置されて可動部９ａの位置を検出する位置検出部１３と、可動部９ａの位置変化に基づいて可動部９ａの変位速度を検出する変位検出部１４と、流量制御弁２のスプール２ａの状態を再度推定する状態再推定部１５とを有する。変位検出部１４は、位置検出部１３で検出された可動部９ａの位置の時間変化に基づいて、可動部９ａの変位速度を演算により検出する。
【００５１】
図５の状態再推定部１５は、アクチュエータ９の駆動を停止させた状態で、すなわち、流量制御弁２のスプール２ａを中立位置に復帰させた状態で、可動部９ａの変位速度に基づいて、流量制御弁２のスプール２ａの状態を再度推定する。より具体的には、可動部９ａの変位速度が所定の閾値よりも遅くなれば、流量制御弁２のスプール２ａが中立位置のときに、作動油が漏れ出したと判断する。第３の実施形態と同様に、アクチュエータ９を駆動させている最中に、状態推定部５にてスプール２ａの摩耗が推定されたときに、アクチュエータ９の駆動を停止させた状態で、状態再推定部１５にてスプール２ａの摩耗が再度推定された場合に、スプール２ａが摩耗したと最終的に判断するようにしてもよい。
【００５２】
このように、第４の実施形態では、アクチュエータ９を駆動している最中に状態推定部５にてスプール２ａの摩耗が推定された場合に、アクチュエータ９の駆動を停止させて、状態再推定部１５にてスプール２ａが摩耗しているか否かを再度推定する。これにより、スプール２ａが停止しているか否かをより正確に判断できる。
【００５３】
第４の実施形態におけるアクチェエータ９は、流量制御弁２とは別の流量制御弁９であってもよい。この場合、別の流量制御弁９は、流量制御弁２のスプール２ａとは別のスプール（弁体）を移動させる。状態推定部５は、スプール２ａの位置が目標位置からずれた場合に当該目標位置に復帰させるためにスプール２ａを移動させた単位時間当たりの回数とスプール２ａの位置が所定時間内に目標位置から乖離した距離との少なくとも一方と、別の流量制御弁９の別のスプールの位置と、に基づいて、スプール２ａの状態を推定する。
【００５４】
上述した第３及び第４実施形態では、流量制御弁２とアクチュエータ９を備えた流体圧駆動装置１０について説明したが、アクチェエータ９の構成及び動作は任意であることから、流量制御弁２から吐出される作動油を利用して種々の動作を行う流体圧駆動装置１０に幅広く適用可能である。流量制御弁２は、スプール２ａを有し、スプール２ａの位置に応じて作動油の吐出量を制御するものであればよい。流量制御弁２の具体例は、上述したスプール弁の他に、ポペット弁、ボール弁、ニードル弁などにも適用可能である。アクチュエータ９は、流量制御弁２からの作動油の吐出量に応じて位置を可変可能な可動部９ａを有し、可動部９ａの位置に応じてアクチュエータ軸を直接駆動するもののほか、可動部９ａは位置に応じて、別置きのアクチュエータ９に対する作動油の供給量を制御する弁であってもよい。駆動部の具体例は、上述したピストン式のアクチュエータ９の他に、スプール弁やポペット弁でもよいし、油圧モータ等の流体圧駆動モータでもよい。
【００５５】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００５６】
１  弁体状態監視装置、２  流量制御弁、２ａ  スプール、２ｂ  弁棒、３  位置検出部、４  帰還制御部、５  状態推定部、６  記憶部、７  警告部、８  寿命予測部、９  アクチュエータ、９ａ  可動部、１０  流体圧駆動装置、１１  燃料噴射弁、１２  排気弁、１３  位置検出部、１４  変位検出部、１５  状態再推定部、２０  コントローラ
【図１】
2020106418.tif 000003
【図２】
2020106418.tif 000004
【図３】
2020106418.tif 000005
【図４】
2020106418.tif 000006
【図５】
2020106418.tif 000007